(57)【要約】【課題】鳥類や小動物による被害から電気設備を確実に保護すること。【解決手段】電柱５０１に取り付けられた腕金５０１や電線５０２を鉛直方向における上方側から覆う防鳥部１１０と、防鳥部１１０に設けられて当該防鳥部１１０から鉛直方向における上方に突出する他物接触防止部１２０と、腕金５０１や電線５０２よりも鉛直方向における下側に設けられ、環形状をなし、電柱５０１の軸心方向に対して傾斜する傾斜面１３１を備えた蛇侵入防止部１３０と、を備えた鳥獣保護取付装具１００を構成した。【選択図】図５
2018035582.tif 000002
【特許請求の範囲】
【請求項１】
柱状体に取り付けられた電気設備を鉛直方向における上方側から覆う防鳥部と、
前記防鳥部に設けられて当該防鳥部から鉛直方向における上方に突出する他物接触防止部と、
前記電気設備よりも鉛直方向における下側に設けられ、環形状をなし、前記柱状体の外周面に当接する内周縁と当該内周縁よりも前記柱状体の外周面から離間する位置に位置づけられる外周縁との間に前記柱状体の軸心方向に対して傾斜する傾斜面を備えた蛇侵入防止部と、
を備えたことを特徴とする鳥獣保護取付装具。
【請求項２】
前記防鳥部は、前記柱状体の外周に巻きつけることによって当該電柱に固定される締付金具と、当該締付金具に係止可能なフックを一端に備えたカバー部材と、を備え、当該フックを前記締付金具に引っ掛けて係止することによって前記電気設備を前記カバー部材によって鉛直方向における上方側から覆うことを特徴とする請求項１に記載の鳥獣保護取付装具。
【請求項３】
前記蛇侵入防止部は、前記締付金具に対して取り外し可能に取り付けられることを特徴とする請求項２に記載の鳥獣保護取付装具。
【請求項４】
前記他物接触防止部は、前記防鳥部に対して取り外し可能に取り付けられることを特徴とする請求項１〜３のいずれか一つに記載の鳥獣保護取付装具。
【請求項５】
前記他物接触防止部は、前記防鳥部に対して複数取り付けられることを特徴とする請求項４に記載の鳥獣保護取付装具。
【発明の詳細な説明】
【技術分野】
【０００１】
この発明は、電気設備を保護する鳥獣保護取付装具に関する。
【背景技術】
【０００２】
従来、鳥類が電柱の腕金などの電気設備に止まることを防止する防鳥具を電気設備に取り付けることによって、当該電気設備にカラスなどの鳥類が止まることに起因する電気設備の破損や鳥類の糞害などの被害を防止するようにした技術があった。
【０００３】
具体的には、従来、たとえば、縁廻り電線を通して挿入させるための開口部が形成されたリング状の取付部材の上面部に３本の針状部材を間隔をもって取り付け、取付部材の下面部に絶縁ヤットコで把持するための板状部材を取り付けることによって鳥類による被害を防止するようにした技術があった（たとえば、下記特許文献１を参照。）。
【０００４】
また、具体的には、従来、たとえば、支持部によって支持されて起伏を繰り返す表面形状を有する反射部の表面において光を複数の異なる波長で反射させることによって鳥類による被害を防止するようにした鳥害防止装置に関する技術があった（たとえば、下記特許文献２を参照。）。
【０００５】
また、鳥類は、電柱の上部へ昇ってきた蛇などを獲物として捕獲するため、蛇などが電気設備に近づくことによる被害を防止する蛇昇り防止具を、電気設備に取り付けるようにした技術があった。具体的には、従来、たとえば、平板をひねってひねり形の縁が形成されたひねり板の上端および下端を、電柱支線などの線状体に固定されたストッパに対して回転可能に設けられた取付片を介して、ひねり板の上端と下端とのひねり角度が１８０度程度となるようにして取り付けた蛇昇り防止具に関する技術があった（たとえば、下記特許文献３を参照。）。
【先行技術文献】
【特許文献】
【０００６】
【特許文献１】特開２０１４−１３５９２号公報
【特許文献２】特開２００８−２９５３１４号公報
【特許文献３】特開２００８−２８３８００号公報
【発明の概要】
【発明が解決しようとする課題】
【０００７】
しかしながら、上述した特許文献１や特許文献２に記載された従来の技術は、鳥類が電気設備に止まることを低減することはできるが、鳥類以外の蛇などが地上から電気設備に侵入することを防止できないという問題があった。このため、たとえば、電柱に昇ってきた蛇などを獲物として捕獲するために鳥類が電気設備に接近あるいは接触することに起因して当該電気設備が破損するなどの被害を防止できず、電気設備に接触した鳥類による被害を確実に防止することができないという問題があった。
【０００８】
一方で、上述した特許文献３に記載された従来の技術は、蛇などによる被害を低減することはできるが、鳥類による被害を防止できないという問題があった。また、上述した特許文献３に記載された従来の技術は、鳥類による電気設備への営巣を防止することができないため、鳥類の巣を狙って電柱などの電気設備に上ろうとする蛇などが電気設備に接触することによる停電などの被害を確実に防止することができないという問題があった。
【０００９】
この発明は、上述した従来技術による問題点を解消するため、鳥類や小動物による被害から電気設備を確実に保護することができる鳥獣保護取付装具を提供することを目的とする。
【課題を解決するための手段】
【００１０】
上述した課題を解決し、目的を達成するため、この発明にかかる鳥獣保護取付装具は、柱状体に取り付けられた電気設備を鉛直方向における上方側から覆う防鳥部と、前記防鳥部に設けられて当該防鳥部から鉛直方向における上方に突出する他物接触防止部と、前記電気設備よりも鉛直方向における下側に設けられ、環形状をなし、前記柱状体の外周面に当接する内周縁と当該内周縁よりも前記柱状体の外周面から離間する位置に位置づけられる外周縁との間に前記柱状体の軸心方向に対して傾斜する傾斜面を備えた蛇侵入防止部と、を備えたことを特徴とする。
【００１１】
また、この発明にかかる鳥獣保護取付装具は、上記の発明において、前記防鳥部が、前記柱状体の外周に巻きつけることによって当該電柱に固定される締付金具と、当該締付金具に係止可能なフックを一端に備えたカバー部材と、を備え、当該フックを前記締付金具に引っ掛けて係止することによって前記電気設備を前記カバー部材によって鉛直方向における上方側から覆うことを特徴とする。
【００１２】
また、この発明にかかる鳥獣保護取付装具は、上記の発明において、前記蛇侵入防止部が、前記締付金具に対して取り外し可能に取り付けられることを特徴とする。
【００１３】
また、この発明にかかる鳥獣保護取付装具は、上記の発明において、前記他物接触防止部が、前記防鳥部に対して取り外し可能に取り付けられることを特徴とする。
【００１４】
また、この発明にかかる鳥獣保護取付装具は、上記の発明において、前記他物接触防止部が、前記防鳥部に対して複数取り付けられることを特徴とする。
【発明の効果】
【００１５】
この発明にかかる鳥獣保護取付装具によれば、鳥類や小動物による被害から電気設備を確実に保護することができるという効果を奏する。
【図面の簡単な説明】
【００１６】
【図１】この発明にかかる実施の形態の鳥獣保護取付装具の構成を示す説明図である。
【図２】別の他物接触防止部を示す説明図である。
【図３】蛇侵入防止部の構造を示す説明図である。
【図４】別の蛇侵入防止部の構造を示す説明図である。
【図５】電柱に取り付けた状態の鳥獣保護取付装具を示す説明図である。
【発明を実施するための形態】
【００１７】
以下に添付図面を参照して、この発明にかかる鳥獣保護取付装具の好適な実施の形態を詳細に説明する。
【００１８】
（鳥獣保護取付装具の構成）
まず、この発明にかかる実施の形態の鳥獣保護取付装具の構成について説明する。図１は、この発明にかかる実施の形態の鳥獣保護取付装具の構成を示す説明図である。図１においては、この発明にかかる実施の形態の鳥獣保護取付装具の分解斜視図を示している。
【００１９】
図１において、この発明にかかる実施の形態の鳥獣保護取付装具１００は、電柱などの柱状体に取り付けて使用することにより、鳥類や小動物による被害から電気設備を確実に保護する。鳥獣保護取付装具１００は、防鳥部１１０と、他物接触防止部１２０と、蛇侵入防止部１３０と、を備えている。
【００２０】
防鳥部１１０は、電柱に取り付けられた腕金や当該腕金が支持する電線など（図５を参照）の電気設備を鉛直方向における上方側から覆うことにより、当該電気設備に鳥類が止まることによる電気設備の損傷を防止する。具体的に、防鳥部１１０は、締付金具１１１とカバー部材１１２とを備えている。
【００２１】
締付金具１１１は、略Ｃ字形状をなす帯状のバンド部材１１３と、当該バンド部材１１３の両端を固定するボルト１１４ａおよびナット１１４ｂと、を備えている。バンド部材１１３は、たとえば、ステンレスなどの金属材料を用いて形成することができる。バンド部材１１３の両端には貫通孔１１３ａが設けられており、バンド部材１１３の両端は貫通孔１１３ａどうしが対向するようにバンド部材１１３がなす環の外周方向に屈曲されて当該環の外周方向に向けて突出している。締付金具１１１は、バンド部材１１３を電柱の外周に巻きつけた状態で、両端に設けられた各貫通孔１１３ａを貫通するように挿入されたボルト１１４ａにナット１１４ｂを螺合させることにより当該電柱に固定される。
【００２２】
締付金具１１１は、蛇侵入防止部１３０を連結するための第１の連結用部材１１５を備えている。第１の連結用部材１１５は、締付金具１１１がなす環形状の外周側に突出している。第１の連結用部材１１５は、複数設けられている。第１の連結用部材１１５は、等間隔で設けられていることが好ましい。第１の連結用部材１１５には、締付金具１１１がなす環形状の軸心方向に沿って当該第１の連結用部材１１５を貫通する第１の貫通孔１１５ａが設けられている。
【００２３】
また、締付金具１１１は、カバー部材１１２を支持する支持部１１１ａを備えている。支持部１１１ａは、締付金具１１１の幅方向に沿って貫通する貫通孔によって実現することができる。カバー部材１１２は、鳥獣保護取付装具１００が保護対象とする電気設備を、鉛直方向における上側から覆うことができる大きさに形成されている。
【００２４】
この実施の形態において、カバー部材１１２は、架空電線を支持する腕金を電気設備として、当該腕金を鉛直方向における上方側から覆う。具体的に、カバー部材１１２は、腕金と同等以上の長さおよび幅のボード１１２ａと、当該ボード１１２ａを腕金が支持する電線から離間させる脚１１２ｂと、を備えている。カバー部材１１２は、脚１１２ｂを腕金の上面に当接させた状態で、ボード１１２ａを腕金に対向させるようにして取り付けられる。
【００２５】
ボード１１２ａにおいて、脚１１２ｂが設けられている面とは反対側の面には、他物接触防止部１２０を取り付ける取付部１１２ｃが設けられている。取付部１１２ｃは、内周面にネジ山が設けられた環状の部材によって実現することができる。取付部１１２ｃは、１つのボード１１２ａにおいて複数設けられている。
【００２６】
カバー部材１１２において、長さ方向の一端には、フック１１２ｄが設けられている。カバー部材１１２は、フック１１２ｄの先端を締付金具１１１が備える支持部１１１ａに挿入し、当該フック１１２ｄを締付金具１１１に引っ掛けることによって締付金具１１１に係止される。カバー部材１１２は、締付金具１１１に係止されることによって支持部１１１ａを貫通した状態のフック１１２ｄの先端にボルト１１２ｅを螺合させることによって、締付金具１１１に固定される。
【００２７】
他物接触防止部１２０は、防鳥部１１０から鉛直方向における上方に突出している。具体的に、他物接触防止部１２０は、一端側が防鳥部１１０に取り付けられて他端側が防鳥部１１０から鉛直方向における上方に延出する軸部材１２１と、当該軸部材１２１に設けられた忌避部材１２２と、によって構成されている。
【００２８】
軸部材１２１の一端側には、外周面に、取付部１１２ｃにおけるネジ山に螺合されるネジ山が設けられている。他物接触防止部１２０は、軸部材１２１に設けられたネジ山を、取付部１１２ｃにおけるネジ山に螺合螺合させることによって防鳥部１１０に取り付けられる。他物接触防止部１２０は、防鳥部１１０に対して取り外し可能に取り付けられる。
【００２９】
１つのボード１１２ａにおいて取付部１１２ｃが複数設けられているため、防鳥部１１０に対して複数の他物接触防止部１２０を取り付けることができる。他物接触防止部１２０は、すべての取付部１１２ｃに取り付けてもよく、一部の取付部１１２ｃに取り付けるようにしてもよい。鳥獣保護取付装具１００を設置する環境、具体的には、たとえば、鳥獣保護取付装具１００の周囲にある電線の架線状態などに応じて、当該電線と干渉しない位置のみに取り付けることができる。
【００３０】
忌避部材１２２は、軸部材１２１の外表面から放射状に延出している。忌避部材１２２は、軸部材１２１から離間する先端側が尖った形状をなしている。先端側が尖った形状とすることにより、鳥類がカバー部材１１２に止まったり営巣したりすることを回避できる。
【００３１】
忌避部材１２２は、軸部材１２１から離間する先端側ほど、軸部材１２１側の根元よりも鉛直方向において下方に位置づけられるように、水平方向に対して傾斜して設けられている。忌避部材１２２を傾斜させることにより、鳥類が忌避部材１２２に止まりにくくして、鳥類による被害から電気設備を保護することができる。
【００３２】
他物接触防止部１２０は、図１に示す形状に限るものではなく、たとえば、図２に示す形状など、各種の形状とすることができる。図２は、別の他物接触防止部を示す説明図である。図２において、別の他物接触防止部２０１は、図１に示す他物接触防止部１２０と同様の軸部材１２１と、忌避部材１２２とによって構成されている。
【００３３】
別の他物接触防止部２０１における忌避部材１２２は、軸部材１２１の外表面から放射状に延出する、軸部材１２１よりも経の小さい棒形状をなしている。別の他物接触防止部２０１における忌避部材１２２は、先端が尖った針形状であってもよい。また、別の他物接触防止部２０１における忌避部材１２２は、複数に枝分かれした形状であってもよい。
【００３４】
蛇侵入防止部１３０は、環形状をなしており、電柱の外周面に内周縁を当接させた状態で、当該電柱に取り付けられる。蛇侵入防止部１３０は、軸心方向に対して傾斜した傾斜面（テーパー）１３１を備えており、このため、蛇侵入防止部１３０の外周縁は内周縁よりも電柱の外周面から離間する位置に位置づけられる。傾斜面１３１は、内周縁と外周縁との間に設けられ、電柱の軸心方向（鉛直方向）に対して傾斜している。
【００３５】
蛇侵入防止部１３０は、外周面から内周面に至る、軸心方向に平行な切れ目１３０ａを備えている。これにより、蛇侵入防止部１３０を電柱に取り付ける際には、蛇侵入防止部１３０がなす環を切れ目１３０ａから開いて内周側を外部に開放することができる。また、蛇侵入防止部１３０は、切れ目１３０ａを塞ぐ係止部材（図示を省略する）を備えている。
【００３６】
係止部材は、たとえば、切れ目１３０ａの両側に設けられた一対のツメ状の部材によって実現することができる。この場合、係止部材は、一対のツメ状の部材を係合させることにより切れ目１３０ａを塞いだ状態に維持する。蛇侵入防止部１３０の切れ目１３０ａは、ボルト（図示を省略する）を用いて塞いでもよい。
【００３７】
蛇侵入防止部１３０は、たとえば、シリコン、フェノール樹脂、エポキシ樹脂など、電気絶縁性に優れた材料を用いて形成することができる。蛇侵入防止部１３０の表面は、平滑であることが好ましい。蛇侵入防止部１３０の表面を平滑にすることにより滑りやすくして、蛇などの小動物が蛇侵入防止部１３０を伝って電気設備に接触することを回避できる。
【００３８】
蛇侵入防止部１３０は、第２の連結用部材１３２を備えている。第２の連結用部材１３２は、蛇侵入防止部１３０の上側の縁に設けられており、蛇侵入防止部１３０がなす環形状の外周側に突出している。第２の連結用部材１３２は、蛇侵入防止部１３０がなす環形状の外周側に突出している。
【００３９】
第２の連結用部材１３２は、第１の連結用部材１１５に対応して複数設けられている。第２の連結用部材１３２は、蛇侵入防止部１３０がなす環形状の軸心方向に沿って第１の連結用部材１１５に対向する位置にそれぞれ設けられている。第２の連結用部材１３２には、蛇侵入防止部１３０がなす環形状の軸心方向に沿って当該第２の連結用部材１３２を貫通する第２の貫通孔１３２ａが設けられている。
【００４０】
蛇侵入防止部１３０は、第１の連結用部材１１５における第１の貫通孔１１５ａと第２の連結用部材１３２における第２の貫通孔１３２ａとを貫通するように挿入されたボルト１３３にナット１３４を螺合させることによって、締付金具１１１に連結することができる。蛇侵入防止部１３０は、締付金具１１１に対して取り外し可能に取り付けられる。
【００４１】
図３は、蛇侵入防止部１３０の構造を示す説明図である。図３においては、蛇侵入防止部１３０を、蛇侵入防止部１３０がなす環形状の軸心方向に沿って切断した断面を示している。図３に示すように、蛇侵入防止部１３０は、電柱の部分が空洞３０１とされた円錐台形状をなす。蛇侵入防止部１３０を円錐台形状とすることにより、蛇などの小動物が蛇侵入防止部１３０の下側から電柱に上がってきた場合にも、蛇侵入防止部１３０の底面がネズミ返しの機能を果たし、蛇侵入防止部１３０の底面によって小動物のそれ以上の昇柱を遮ることができる。
【００４２】
図４は、別の蛇侵入防止部１３０の構造を示す説明図である。図４においては、図３と同様に、蛇侵入防止部１３０を、蛇侵入防止部１３０がなす環形状の軸心方向に沿って切断した断面を示している。図４に示すように、蛇侵入防止部１３０は、板状あるいはシート状の部材を、鉛直方向における下側ほど経が大きくなるように環状に丸めることによって形成される、円錐台形状の筒状部材であってもよい。
【００４３】
図４に示すような構造とすることにより、別の蛇侵入防止部１３０は軽量化を図ることができる。これにより、電柱の上に運搬する際の作業者の負担軽減を図ることができ、また、取り付けにかかる作業者の負担軽減を図ることができる。
【００４４】
円錐台形状の筒状部材によって蛇侵入防止部１３０を実現する場合、蛇侵入防止部１３０の内壁面は、電柱の外表面から離間するほど鉛直方向における下側に傾斜する傾斜面１３１をなす。このように、蛇侵入防止部１３０を円錐台形状の筒状部材とすることにより、蛇などの小動物が蛇侵入防止部１３０の下側から電柱に上がってきた場合にも、蛇侵入防止部１３０の内壁面（逆斜面）によってネズミ返しの機能を果たし、小動物のそれ以上の昇柱を遮ることができる。
【００４５】
鳥獣保護取付装具１００において、蛇侵入防止部１３０、防鳥部１１０、他物接触防止部１２０は、たとえば、住宅地に設置する場合は黒色の外観をなすようにしたり、山間部に設置する場合は緑色の外観をなすようにしたり、などのように、設置する環境に応じて、当該環境に馴染んで目立たないような色に着色する。これにより、鳥獣保護取付装具１００が目立つことを抑え、環境に馴染まないために周囲の住民などに不快感を抱かせることを回避できる。
【００４６】
なお、鳥獣保護取付装具１００において、蛇侵入防止部１３０、防鳥部１１０、他物接触防止部１２０は、敢えて目立つ色としてもよい。具体的には、蛇侵入防止部１３０、防鳥部１１０、他物接触防止部１２０の外観を黄色と黒色のストライプをなすようにしてもよい。これにより、鳥獣保護取付装具１００を目立たせることができ、工事などに際して、鳥獣保護取付装具１００に工事車両などが引っ掛からないように注意喚起することができる。
【００４７】
（鳥獣保護取付装具１００の取り付け手順）
つぎに、鳥獣保護取付装具１００の取り付け手順について説明する。鳥獣保護取付装具１００の取り付けに際しては、まず、締付金物を電柱に巻き付ける。締付金物は、腕金の位置に応じて、当該腕金を電柱に固定しているステンレスバンドよりも鉛直方向における上側に巻き付ける。つぎに、締付金物の両端に設けられた各貫通孔を貫通するようにボルトを挿入した後、当該ボルトにナットを螺合させる。これにより、締付金物が電柱に固定される。
【００４８】
つぎに、電柱に固定された締付金具１１１における支持部１１１ａの貫通孔に、フック１１２ｄの先端を挿入する。これにより、フック１１２ｄを介してカバー部材１１２が締付金具１１１に引っ掛けられる。そして、締付金具１１１に引っ掛けられた状態のフック１１２ｄの先端にナットを螺合させる。これにより、カバー部材１１２が電柱に固定される。このように、フック１１２ｄを介してカバー部材１１２を締付金具１１１に引っ掛けることにより、防鳥部１１０の取り付けにかかる作業負担の軽減を図ることができる。
【００４９】
つぎに、蛇侵入防止部１３０を切れ目１３０ａから開き、蛇侵入防止部１３０を電柱に巻き付ける。そして、係止部材により蛇侵入防止部１３０の切れ目１３０ａを塞ぐ。その後、第１の連結用部材１１５における第１の貫通孔１１５ａと第２の連結用部材１３２における第２の貫通孔１３２ａとを貫通するように、第１の貫通孔１１５ａおよび第２の貫通孔１３２ａにボルトを挿入する。このとき、第１の貫通孔１１５ａ側から挿入することが好ましい。これにより、ボルトの落下を防止することができる。その後、ボルト１３３の先端にナット１３４を螺合させる。これにより、蛇侵入防止部１３０は、締付金具１１１を介して電柱に固定される。
【００５０】
つぎに、他物接触防止部１２０（別の他物接触防止部２０１）における軸部材１２１の一端を、カバー部材１１２における取付部１１２ｃに螺合させる。これにより、他物接触防止部１２０（別の他物接触防止部２０１）防鳥部１１０に固定される。他物接触防止部１２０（別の他物接触防止部２０１）は、鳥獣保護取付装具１００を取り付ける環境などに応じて、カバー部材１１２に対する取り付け位置や数を調整する。
【００５１】
図５は、電柱に取り付けた状態の鳥獣保護取付装具１００を示す説明図である。図５に示すように、腕金５０１よりも上側に防鳥部１１０が設けられ、腕金５０１の位置よりも下側に蛇侵入防止部１３０が設けられているため、鳥類による被害および小動物による被害の両方の被害から電気設備（腕金５０１や電線５０２）を確実に保護することができる。
【００５２】
上述した実施の形態においては、防鳥部１１０を構成する締付金具１１１に蛇侵入防止部１３０を取り付けるようにしたが、鳥獣保護取付装具１００においては、防鳥部１１０とは別個に、蛇侵入防止部１３０を電柱５０３に取り付けるようにしてもよい。具体的には、たとえば、第１の連結用部材１１５や第２の連結用部材１３２に代えて、蛇侵入防止部１３０の上端に締付金具１１１と同様の金具を設けることによって、蛇侵入防止部１３０を防鳥部１１０とは別個に電柱５０３に取り付けることができる。
【００５３】
以上説明したように、この発明にかかる実施の形態の鳥獣保護取付装具１００は、電柱５０１などの柱状体に取り付けられた電気設備（腕金５０１や電線５０２）を鉛直方向における上方側から覆う防鳥部１１０と、防鳥部１１０に設けられて当該防鳥部１１０から鉛直方向における上方に突出する他物接触防止部１２０、２０１と、腕金５０１や電線５０２よりも鉛直方向における下側に設けられ、環形状をなし、電柱５０１の外周面に当接する内周縁と当該内周縁よりも電柱５０１の外周面から離間する位置に位置づけられる外周縁との間に電柱５０１の軸心方向に対して傾斜する傾斜面１３１を備えた蛇侵入防止部１３０と、を備えたことを特徴としている。
【００５４】
この発明にかかる実施の形態の鳥獣保護取付装具１００によれば、防鳥部１１０によって電気設備を鉛直方向における上方側から覆うことにより当該電気設備を保護し、さらに、当該電気設備から鉛直方向上方に突出する他物接触防止部１２０、２０１を設けることによって当該防鳥部１１０に鳥がとまったり営巣したりすることを確実に防止できる。これにより、鳥が止まることによる腕金５０１や電線５０２の破損や糞害、あるいは、腕金５０１や電線５０２の破損に起因する停電など、鳥類に起因する被害を防止できる。
【００５５】
また、この発明にかかる実施の形態の鳥獣保護取付装具１００によれば、腕金５０１や電線５０２よりも鉛直方向における下側に設けられた蛇侵入防止部１３０の傾斜面１３１によって、蛇などの翼を持たない小動物が腕金５０１や電線５０２に接触することを防止できる。これにより、蛇などの翼を持たない小動物が腕金５０１や電線５０２に接触することに起因する停電などの被害を防止できる。
【００５６】
また、この発明にかかる実施の形態の鳥獣保護取付装具１００によれば、腕金５０１や電線５０２を鉛直方向における上方側から覆うことにより、鳥類などの生物の他、風によって飛来するビニル袋や枝などの物体が腕金５０１や電線５０２にぶつかったり乗ったり巻き付いたりすることを防止できる。これにより、腕金５０１や電線５０２の損傷や、これらの物体に起因する停電などを防止できる。
【００５７】
さらに、鳥類が腕金５０１や電線５０２に接触することを防止することにより、当該鳥類を狙う小動物が腕金５０１や電線５０２に接近あるいは接触したり、逆に、小動物が腕金５０１や電線５０２に接触することを防止することにより、当該小動物を狙う鳥が腕金５０１や電線５０２に接近あるいは接触したりすることを防止できる。これによっても、鳥が止まることによる腕金５０１や電線５０２の破損やこれに起因する停電あるいは糞害、小動物が接触することによる腕金５０１や電線５０２の破損やこれに起因する停電など、鳥類および小動物に起因する被害を防止できる。
【００５８】
このように、この発明にかかる実施の形態の鳥獣保護取付装具１００によれば、鳥や小動物が腕金５０１や電線５０２に接近することを鉛直方向上側および下側から防止することにより、鳥類に起因する被害および鳥類の巣を狙って電柱５０３などの腕金５０１や電線５０２に上る蛇などの小動物に起因する被害の両方を確実に防止することができ、鳥類や小動物による被害から腕金５０１や電線５０２を確実に保護することができる。
【００５９】
また、この発明にかかる実施の形態の鳥獣保護取付装具１００は、防鳥部１１０が、電柱５０１の外周に巻きつけることによって当該電柱５０３に固定される締付金具１１１と、当該締付金具１１１に係止可能なフック１１２ｄを一端に備えたカバー部材１１２と、を備え、当該フック１１２ｄを締付金具１１１に引っ掛けて係止することによって腕金５０１や電線５０２をカバー部材１１２によって鉛直方向における上方側から覆うことを特徴としている。
【００６０】
この発明にかかる実施の形態の鳥獣保護取付装具１００によれば、締付金具１１１にカバー部材１１２のフック１１２ｄを引っ掛ける簡単な作業によって、電柱５０１に防鳥部１１０を取り付けることができる。これにより、鳥獣保護取付装具１００を電柱５０１に取り付ける作業にかかる作業者の負担軽減を図ることができ、かつ、当該作業の簡易化を図ることによって作業時間を短く抑えることができる。
【００６１】
また、この発明にかかる実施の形態の鳥獣保護取付装具１００は、蛇侵入防止部１３０が、締付金具１１１に対して取り外し可能に取り付けられることを特徴としている。
【００６２】
この発明にかかる実施の形態の鳥獣保護取付装具１００によれば、防鳥部１１０を構成する締付金具１１１に蛇侵入防止部１３０を取り付けることにより、蛇侵入防止部１３０を電柱５０１に取り付ける専用の部材を不要とすることができ、鳥獣保護取付装具１００を構成する部品点数の増加を抑えることができる。これにより、鳥獣保護取付装具１００を電柱５０１に取り付ける作業にかかる作業者の負担軽減を図ることができ、かつ、当該作業の簡易化を図ることによって作業時間を短く抑えることができる。
【００６３】
また、この発明にかかる実施の形態の鳥獣保護取付装具１００によれば、防鳥部１１０を構成する締付金具１１１に対して蛇侵入防止部１３０を取り外し可能とすることにより、鳥獣保護取付装具１００を電柱５０１に取り付ける作業に際して各部品を取り扱いやすくすることができる。これにより、鳥獣保護取付装具１００を電柱５０１に取り付ける作業にかかる作業者の負担軽減を図ることができ、かつ、当該作業の簡易化を図ることによって作業時間を短く抑えることができる。
【００６４】
また、この発明にかかる実施の形態の鳥獣保護取付装具１００は、他物接触防止部１２０、２０１が、防鳥部１１０に対して取り外し可能に取り付けられることを特徴としている。
【００６５】
この発明にかかる実施の形態の鳥獣保護取付装具１００によれば、腕金５０１や電線５０２に接近あるいは止まることを防止したい鳥類の種類に応じて形状や大きさを異ならせた任意の他物接触防止部１２０、２０１を取り付けることができる。具体的には、たとえば、鳥獣保護取付装具１００を、都市部や市街地に設置された電柱５０３に取り付ける場合はカラスが忌避する形状や大きさの他物接触防止部１２０、２０１を取り付けたり、山間部に近い住宅地に設置された電柱５０３に取り付ける場合はカッコウが忌避する形状や大きさの他物接触防止部１２０、２０１を取り付けたりして、防止したい鳥類の種類に応じた形状や大きさの他物接触防止部１２０、２０１を取り付けることができる。
【００６６】
また、この発明にかかる実施の形態の鳥獣保護取付装具１００は、他物接触防止部１２０、２０１が、防鳥部１１０に対して複数取り付けられることを特徴とする。
【００６７】
この発明にかかる実施の形態の鳥獣保護取付装具１００によれば、他物接触防止部１２０、２０１が防鳥部１１０に対して取り外し可能に取り付けられるため、鳥獣保護取付装具１００を取り付ける環境や接近あるいは止まることを防止したい鳥類の種類、あるいは、他物接触防止部１２０、２０１の形状や大きさに応じた数の他物接触防止部１２０、２０１を防鳥部１１０に取り付けることができる。これにより、鳥類に起因する被害および鳥類の巣を狙って電柱５０３などの腕金５０１や電線５０２に上る蛇などの小動物に起因する被害の両方を確実に防止することができ、鳥類や小動物による被害から腕金５０１や電線５０２を確実に保護することができる。
【産業上の利用可能性】
【００６８】
以上のように、この発明にかかる鳥獣保護取付装具は、電気設備の保護に有用であり、特に、鳥類および小動物の接触に起因する停電を回避するための電気設備の保護に適している。
【符号の説明】
【００６９】
１００
１１０  防鳥部
１１１  締付金具
１１２  カバー部材
１１２ｄ  フック
１２０  他物接触防止部
１３０  蛇侵入防止部
５０１  腕金
５０２  電線
５０３  電柱
【図１】
2018035582.tif 000003
【図２】
2018035582.tif 000004
【図３】
2018035582.tif 000005
【図４】
2018035582.tif 000006
【図５】
2018035582.tif 000007